(57)【要約】【課題】  釣りやサーフィンや水泳などのアウトドアの趣味をする人達の中には、出来る限り手間のかからないテーブルの要求が強く有るけれども、従来のテーブルの場合は、取り出しや収納に時間を要することなどから面倒であったり、車内の狭い車においても極めて容易にテーブルを設置及び収納を可能にする使い勝手の著しく優れた簡易テーブルを提供することを課題としている。【解決手段】  自動車などの車のバックドアなどの開口部にテーブルを内蔵させたスノコなどの台状のものを置き、使用時には、極めて簡単にテーブルを外側に引き出して外から使用でき、また収納も直ぐにできる手段を採用した。【選択図】  図７
2009113649.tif 000002
【特許請求の範囲】
【請求項１】
車の開口部付近に、摺動して出し入れ可能なテーブル１を中に内蔵させたスノコなどの低い台を置き、車の開口部を開けた状態で、当該テーブル１を車の外側に向かって横方向に引き出して、車の外側から使用可能にし、使用後に直ちに元位置まで収納可能にすることを特徴とする車用簡易テーブル。
【請求項２】
上板３の下側端部付近に、対面して平行する棒状の低い二本の脚部４を固定し、当該二本の脚部の内側に平行して突条９などを固定することによってテーブル摺動スペースを形成し、中に寸法精度良く摺動可能にテーブル１が収納され、テーブル１の後方にはストッパー８が設けられており、テーブル前先端部の取手７を指で持って、横方向に引き出して、車の外側から使用可能にし、使用後に直ちに元位置まで収納可能にすることを特徴とする請求項１記載の車用簡易テーブル。
【発明の詳細な説明】
【技術分野】
【０００１】
本発明は、自動車などの車用の簡易テーブルであり、詳しくは、車の開口部から、車の外側に向かって横方向に引き出すことによって極めて簡易に使用可能にする車用簡易テーブルに関するものである。
【背景技術】
【０００２】
自動車用などの車で使用するテーブルは、ホームセンターやインターネットなどでキャンプ用として市販されており、また特許も出願されているが、例えば特許文献１には、図１に示すような自動車の座席２の後ろ側に収納用凹部を設け、脚を有するテーブル１を折り畳んで、ここに収納する自動車用携帯テーブルが提案されており、また特許文献２には、図２(a)(b)に示すように、自動車の内部にテーブル１を折り畳んで収納しておき、必要な時に容易に組み立て可能にする自動車用折り畳みテーブルが提案されている。
【特許文献１】特開平１０−２４８６４７号公報
【特許文献２】特開平９−１７５２４４号公報
【発明の開示】
【発明が解決しようとする課題】
【０００３】
釣りやサーフィンや水泳やキャンプなどのアウトドアの趣味をもつ多くの人々においては、自動車の中や外で食事などでテーブルを使用するケースがよく有るが、キャンプなどの場合を除いて、食事をすること自体を主目的としていない場合、出来る限り手間取らずに、すぐ使えるテーブルの要求が強く有るけれども、特許文献１のテーブルの場合は、収納場所からのテーブルの取り出してからの組み立てと、折り畳んで元の場所に収納するのに時間を要することや、収納時に特に雨の降ったあとで地面が濡れた状態で使用した時にテーブルの脚部に屋外の土砂などが付着し、そのまま車内に持ち込むことによって車内を汚すなどの大きな問題があり、特許文献２のテーブルの場合は、手間がかからないけれども車内の広いキャンピングカーなどには採用可能であるが、車内の狭い通常の車には設置スペースが無くて全く不向きであった。本発明においては、車内の狭い車においても極めて容易にテーブルを設置及び収納を可能にすると同時に車内を土砂で汚すこともない使い勝手の著しく優れた車用簡易テーブルを提供することを課題としている。
【課題を解決するための手段】
【０００４】
前記課題を解決するために、自動車などの車のバックドアなどの開口部にスノコなどの台を水平に置き、このスノコなどの台の中に摺動可能なテーブルを内蔵させ、使用時には、極めて容易に横方向にテーブルを引き出して使用でき、また収納も直ぐにできる手段を採用した。
【発明の効果】
【０００５】
自動車などの車の開口部は、雨水などが入ることや濡れたものを収納する際に水が滴り落ちるなどで、車内に水分の滞留することを防止して乾燥状態を保つためにスノコなどの低い台を置き、この上に荷物などを置くことによって空気の流動を促すのが効果的であるが、このスノコなどの低い台の中にテーブルを収納して、車の外側に向かって横方向に引き出し可能にしたものを車の開口部に設置し、外から使用することによって、テーブルの使用及び収納が極めて容易に出来ると同時に、狭い車にも設置可能であり、またテーブルに屋外の土砂などが付着し、そのまま車内に持ち込むことによって車内を汚す問題もなく、また開口部付近に雨の侵入や濡れたものを入れた時の水の浸入があっても、素早く乾燥できることから車の内部環境を良好にできる効果も奏する。
【発明を実施するための最良の形態】
【０００６】
図３は、本発明に係る簡易テーブル５の最良の形態の一実施例を示す斜視図であるが、上板３の下側端部付近に対面して平行する二本の棒状の脚部４を固定し、当該二本の脚部４の下方の内側のテーブルの出入口に下板６が結合されており、上板３と脚部４と下板６の中に寸法精度良く摺動可能にテーブル１が収納されていて、取手７を指で持って横方向に引き出してテーブルとして使用し、終了時には押し込むことによって容易に収納される。
【０００７】
更に詳しく説明すると、図４は、図３のＡ−Ａ断面図であるが、上板３に固定された二本の脚部４にはテーブルの出入口にある下板６と、それに繋がって平行して二本の脚部４に突条９が固定されテーブル１の摺動スペースを確保し、テーブル１の脚部４側の後部端部の中央付近の部分にストッパー８を固定してテーブル１の抜け、落下を防止する構成となっている。
【０００８】
更に詳しく説明すると、図５は前記の図３の簡易テーブル５を背面から見た斜視図であるが、図３では判らないテーブル１の摺動スペースを確保した突条９と下板６が固定された形態とテーブル１の後部端部の中央付近の部分にストッパー８を設置し、テーブル１を引き出すとストッパー８が下板９にぶつかって停止する構成が明確に記載されている。
【０００９】
また、前記実施例においては、テーブルの摺動スペースを上板３と二本の脚部４と下板６とそれに繋がる突条９で囲んで形成させたが、本発明は、この方法に限定されず、図６の背面から見た斜視図に示すように下板６を使用しないで突条９だけを二本の脚部４に平行して設ける方法であってもよく、この場合は前記上板３と突条９と二本の脚部４とで形成された摺動スペースのテーブルの出入口付近の側面の二箇所に突起部１０を設け、テーブル１の後部の側面の二箇所に突起状のストッパー８を設ける方法なども本発明の範囲内にあり、またバックドアを有する自動車の後部に簡易テーブル５を設置した場合の構成を図７に示すが、荷物１１などが乗せられた簡易テーブル５から取手７を指で持ってテーブル１を引き出して食事などで使用し、仕舞う時には押し込むことによってただちに収納可能な構成となっている。
【００１０】
本発明における簡易テーブル５の材質は、木材やプラスチック製が適性があるが、木材製の場合には、杉、ヒノキ、化粧合板などを使用して、ビスや釘などで固定して製造する方法が採用され、またプラスチック製の場合には、成形や接着やビス止めなどで固定して製造する方法が採用され、また前記の実施例においては、台の上板３に一枚板を使用したが、細長い板を隙間を開けて脚部４に固定するスノコを採用してもよく、この構成の場合には、テーブル５にホコリが落ち易い半面、雨水などの湿気の乾燥性の面からは適性が高い。
【産業上の利用可能性】
【００１１】
釣りやサーフィンや水泳やキャンプなどのアウトドアの趣味においては、自動車の中や外で食事などをするケースがしばしば有るが、キャンプなどの場合を除いて、食事などをすること自体を主目的としていない場合、出来る限り手間のかからないテーブルの要求がユーザーの中に強く有るが、本発明の簡易テーブルにおいては、使用及び収納が極めて容易にでき、また収納時に外の土砂を車内に持ち込むこともなく使い勝手が極めて良好であると同時に、車内の狭い車にも設置可能で、また開口部に雨水などの水の浸入などがあっても、素早く乾燥できることから車の内部環境を良好にできることや、構成部品が少なく組立も簡単なため大量生産が容易でコストがかからないことなど優れた面を有することからも産業上の利用可能性が高い。
【図面の簡単な説明】
【００１２】
【図１】従来法に係る座席の後部に収納する自動車用テーブルの収納時の部分斜視図
【図２（ａ）】従来法に係る自動車の内部にテーブル１を折り畳んで収納し、組み立て可能にする折り畳みテーブルの収納時の状態を示す側面図である。
【図２（ｂ）】従来法に係る自動車の内部にテーブル１を折り畳んで収納し、組み立て可能にする折り畳みテーブルの使用時の状態を示す側面図である。
【図３】本発明に係る簡易テーブルの一実施例を示す斜視図である。
【図４】図３のＡ−Ａ断面図である。
【図５】図３の簡易テーブル５を背面から見た斜視図である。
【図６】本発明に係る別の実施例を示す背面から見た斜視図である。
【図７】本発明に係るバックドアの有る車の後部に設置した構成の部分側面図である。
【符号の説明】
【００１３】
１    テーブル                      ２    座席
３    上板                          ４    脚部
５    簡易テーブル                  ６    下板
７    取手                          ８    ストッパー
９    突条                          10    突起部
11    荷物
【図１】
2009113649.tif 000003
【図２（ａ）】
2009113649.tif 000004
【図２（ｂ）】
2009113649.tif 000005
【図３】
2009113649.tif 000006
【図４】
2009113649.tif 000007
【図５】
2009113649.tif 000008
【図６】
2009113649.tif 000009
【図７】
2009113649.tif 000010